(57)【要約】【課題】画像データを記録媒体に記録する際の利便性を向上させることができる記録媒体及びその収納方法の提供。【解決手段】特定の識別情報が書き込まれた１以上のブランクの第１の記録媒体９ａと、特定の識別情報に基づいて第１の記録媒体を認識して動作するスライドショープログラムなどのアプリケーションと、画像データと共に第１の記録媒体に記録される観光地やイベントなどのコンテンツデータとが記録された１以上の第２の記録媒体９ｂとが所定のケース１２に収納され、また、１以上のブランクの第１の記録媒体９ａが、アプリケーションやコンテンツデータが記録された１以上の第２の記録媒体９ｂに比べて相対的に安全な場所に収納されているものであり、画像データに対する処理の効率化や保管に対する安全性の向上を図ることで、画像データを記録媒体に記録する際の利便性を向上させることができる。【選択図】図１
2007004905.tif 000002
【特許請求の範囲】
【請求項１】
所定のケースにセットとして収納される複数の記録媒体であって、
予め特定の識別情報が記録され、少なくとも画像データを記録可能な空き領域を備える１以上の第１の記録媒体と、
前記特定の識別情報に基づいて前記第１の記録媒体を認識して前記画像データを利用した処理を実行するプログラムが少なくとも記録された１以上の第２の記録媒体と、を含むことを特徴とする記録媒体。
【請求項２】
前記特定の識別情報は、前記第１の記録媒体の論理アドレス領域外に記録されていることを特徴とする請求項１記載の記録媒体。
【請求項３】
所定のケースにセットとして収納される複数の記録媒体であって、
少なくとも画像データを記録可能な空き領域を備える１以上の第１の記録媒体と、
前記画像データを利用した処理を実行するプログラムが少なくとも記録された１以上の第２の記録媒体と、を含み、
前記第１の記録媒体が、前記所定のケースの相対的に安定した場所に収納され、
前記第２の記録媒体が、前記所定のケースの他の場所に収納されていることを特徴とする記録媒体。
【請求項４】
前記所定のケースは、一辺を軸として開閉可能に連結された蓋の内側に設けられた第１の収納部と、前記一辺を軸にして回動可能に接続された第２の収納部とを備え、
前記第１の収納部に前記第１の記録媒体が収納され、前記第２の収納部に前記第２の記録媒体が収納されていることを特徴とする請求項３記載の記録媒体。
【請求項５】
前記第２の記録媒体に、その少なくとも一部が前記第１の記録媒体に記録されるコンテンツデータが記録されていることを特徴とする請求項１乃至４のいずれか一に記載の記録媒体。
【請求項６】
前記第２の記録媒体に、前記プログラムをコンピュータ機器にインストールするためのプログラムが記録されていることを特徴とする請求項１乃至５のいずれか一に記載の記録媒体。
【請求項７】
前記第１の記録媒体及び前記第２の記録媒体の各々のレーベル面に、互いを対応付ける情報が印刷されていることを特徴とする請求項１乃至６のいずれか一に記載の記録媒体。
【請求項８】
複数の記録媒体を所定のケースにセットとして収納する方法であって、
少なくとも画像データを記録可能な空き領域を備える１以上の第１の記録媒体を、前記所定のケースの相対的に安定した場所に収納し、
前記画像データを利用した処理を実行するプログラムが少なくとも記録された１以上の第２の記録媒体を、前記所定のケースの他の場所に収納することを特徴とする記録媒体の収納方法。
【請求項９】
前記所定のケースは、一辺を軸として開閉可能に連結された蓋の内側に設けられた第１の収納部と、前記一辺を軸にして回動可能に接続された第２の収納部とを備え、
前記第１の収納部に前記第１の記録媒体を収納し、前記第２の収納部に前記第２の記録媒体を収納することを特徴とする請求項８記載の記録媒体の収納方法。
【請求項１０】
前記第２の記録媒体に、その少なくとも一部が前記第１の記録媒体に記録されるコンテンツデータが記録されていることを特徴とする請求項８又は９に記載の記録媒体の収納方法。
【請求項１１】
前記第２の記録媒体に、前記プログラムをコンピュータ機器にインストールするためのプログラムが記録されていることを特徴とする請求項８乃至１０のいずれか一に記載の記録媒体の収納方法。
【請求項１２】
前記第１の記録媒体及び前記第２の記録媒体の各々のレーベル面に、互いを対応付ける情報が印刷されていることを特徴とする請求項８乃至１１のいずれか一に記載の記録媒体の収納方法。
【発明の詳細な説明】
【技術分野】
【０００１】
本発明は、記録媒体及びその収納方法に関し、特に、セットで利用される複数の記録媒体及びその収納方法に関する。
【背景技術】
【０００２】
近年、デジタルカメラの低価格化、多機能化に伴って、デジタルカメラで写真を撮影するユーザが増加している。デジタルカメラでは、撮影した写真の画像データを内部のメモリやデジタルカメラ用メディアに一時的に保存しておき、コンピュータ機器などを用いて、定期的にデジタルカメラやメディアから画像データを読み取り、読み取った画像データを所定の書き込みプログラムを用いて予め用意したブランクのＣＤ−ＲやＤＶＤ−Ｒなどの記録媒体に書き込み、写真画像が電子アルバムとして保管される。
【０００３】
ここで、デジタルカメラやメディアから読み取った画像データをそのままブランクの記録媒体に記録する場合は通常の書き込みプログラムを利用すればよいが、これらの画像データからＤＶＤプレーヤやＤＶＤレコーダ、ＨＤＤレコーダ、ゲーム機などの家電機器でスライドショーとして再生するためのデータ（以下、家電機器用データと呼ぶ。）を生成したり、画像データを編集するなど、画像データを利用した処理を行う場合は、スライドショープログラムや編集プログラムなどの所定のアプリケーションが必要になる（家電機器用データの作成方法に関しては、例えば、下記特許文献１参照）。
【０００４】
【特許文献１】特開２００３−２５９３０３号公報（第５−１１頁、第１１図）
【発明の開示】
【発明が解決しようとする課題】
【０００５】
しかしながら、従来は上記所定のアプリケーションをユーザ自らが用意しなければならず、また、上記所定のアプリケーションが記録媒体として提供される場合は、ブランクの記録媒体とアプリケーションが記録された記録媒体とをユーザ自身が関連付けて保管しなければならず不便であった。
【０００６】
また、スライドショーを作成する場合、ユーザが撮影した画像に写真撮影を行った観光地やイベントに関連する画像を挿入することによって見栄えのよいスライドショーを作成することができるが、従来は観光地やイベントに関連する画像の基となるデータ（以下、コンテンツデータと呼ぶ。）をユーザ自らが用意しなければならず、また、上記コンテンツデータが記録媒体として提供される場合は、ブランクの記録媒体とコンテンツデータが記録された記録媒体とをユーザ自身が関連付けて保管しなければならず不便であった。
【０００７】
また、画像データや家電機器用データなどを書き込むためのブランクの記録媒体と、アプリケーションやコンテンツデータが記録された記録媒体とをセットにしてケースに収納しておくこともできるが、ブランクの記録媒体はデータの書き込みと読み取りの双方が行われるのに対して、他方の記録媒体はデータの読み取りのみが行われることから、各々の記録媒体はその特徴に応じて保管する必要がある。しかしながら、従来はその特徴に応じた形態で記録媒体が保管されていないため、変形や汚れ、傷などによってブランクの記録媒体に対してデータの書き込みや読み取りができなくなるなどの不具合が生じる恐れがあった。
【０００８】
本発明は、上記問題点に鑑みてなされたものであって、その主たる目的は、画像データを記録媒体に記録する際の利便性を向上させることができる記録媒体及びその収納方法を提供することにある。
【課題を解決するための手段】
【０００９】
上記目的を達成するため、本発明の記録媒体は、所定のケースにセットとして収納される複数の記録媒体であって、予め特定の識別情報が記録され、少なくとも画像データを記録可能な空き領域を備える１以上の第１の記録媒体と、前記特定の識別情報に基づいて前記第１の記録媒体を認識して前記画像データを利用した処理を実行するプログラムが少なくとも記録された１以上の第２の記録媒体と、を含むものであり、前記特定の識別情報は、前記第１の記録媒体の論理アドレス領域外に記録されている構成とすることができる。
【００１０】
また、本発明の記録媒体は、所定のケースにセットとして収納される複数の記録媒体であって、少なくとも画像データを記録可能な空き領域を備える１以上の第１の記録媒体と、前記画像データを利用した処理を実行するプログラムが少なくとも記録された１以上の第２の記録媒体と、を含み、前記第１の記録媒体が、前記所定のケースの相対的に安定した場所に収納され、前記第２の記録媒体が、前記所定のケースの他の場所に収納されているものであり、前記所定のケースは、一辺を軸として開閉可能に連結された蓋の内側に設けられた第１の収納部と、前記一辺を軸にして回動可能に接続された第２の収納部とを備え、前記第１の収納部に前記第１の記録媒体が収納され、前記第２の収納部に前記第２の記録媒体が収納されている構成とすることができる。
【００１１】
また、本発明の記録媒体の収納方法は、複数の記録媒体を所定のケースにセットとして収納する方法であって、少なくとも画像データを記録可能な空き領域を備える１以上の第１の記録媒体を、前記所定のケースの相対的に安定した場所に収納し、前記画像データを利用した処理を実行するプログラムが少なくとも記録された１以上の第２の記録媒体を、前記所定のケースの他の場所に収納するものであり、前記所定のケースは、一辺を軸として開閉可能に連結された蓋の内側に設けられた第１の収納部と、前記一辺を軸にして回動可能に接続された第２の収納部とを備え、前記第１の収納部に前記第１の記録媒体を収納し、前記第２の収納部に前記第２の記録媒体を収納する構成とすることができる。
【００１２】
本発明においては、前記第２の記録媒体に、その少なくとも一部が前記第１の記録媒体に記録されるコンテンツデータが記録されている構成とすることができる。
【００１３】
また、本発明においては、前記第２の記録媒体に、前記プログラムをコンピュータ機器にインストールするためのプログラムが記録されている構成とすることもできる。
【００１４】
また、本発明においては、前記第１の記録媒体及び前記第２の記録媒体の各々のレーベル面に、互いを対応付ける情報が印刷されている構成とすることもできる。
【００１５】
このように、本発明によれば、第２の記録媒体に記録されたアプリケーションやコンテンツデータを利用することによって、画像データに対する処理を効率的に行うことができ、また、各々の記録媒体が記録媒体の特徴に応じた場所に収納されるため、複数の記録媒体を安全に保管することができる。これにより画像データを記録媒体に記録する際の利便性を向上させる。
【発明の効果】
【００１６】
以上説明したように、本発明の記録媒体及びその収納方法によれば、画像データを記録媒体に記録する際の利便性を向上させることができる。
【００１７】
その理由は、画像データを記録するための１以上のブランクの第１の記録媒体と、該第１の記録媒体を認識して動作するアプリケーションや画像データと共に第１の記録媒体に記録するコンテンツデータが記録された１以上の第２の記録媒体とが所定のケースに収納されてセットとして提供されるため、ユーザは第２の記録媒体に記録されたアプリケーションやコンテンツデータを利用することができ、画像データに対する処理の効率化を図ることができるからである。
【００１８】
また、画像データを記録するための１以上のブランクの第１の記録媒体と、該画像データに利用されるアプリケーションや画像データと共に第１の記録媒体に記録するコンテンツデータが記録された１以上の第２の記録媒体とが、所定のケースの記録媒体の特徴に応じた場所に収納されてセットとして提供されるため、複数の記録媒体を安全に保管することができるからである。
【発明を実施するための最良の形態】
【００１９】
本発明の記録媒体は、その好ましい一実施の形態において、予め特定の識別情報が書き込まれた、画像データを記録するための１以上のブランクの第１の記録媒体と、上記特定の識別情報に基づいて第１の記録媒体を認識して動作するスライドショープログラムや編集プログラムなどのアプリケーションや、画像データと共に第１の記録媒体に記録される観光地やイベントなどのコンテンツデータが記録された１以上の第２の記録媒体とが所定のケースに収納され、また、画像データを記録するための１以上のブランクの第１の記録媒体が、画像データを利用した処理を実行するアプリケーションや画像データと共に第１の記録媒体に記録されるコンテンツデータが記録された１以上の第２の記録媒体に比べて相対的に安全な場所に収納されているものであり、画像データに対する処理の効率化や保管に対する安全性の向上を図ることで、画像データを記録媒体に記録する際の利便性を向上させることができる。
【実施例１】
【００２０】
上記実施形態について詳細に説明すべく、本発明の第１の実施例に係る記録媒体について、図１乃至図１４を参照して説明する。図１は、本実施例に係る記録媒体を利用するシステムの構成を模式的に示す外観図であり、図２乃至図６は、記録装置のバリエーションを示す図である。また、図７は、本実施例の複数の記録媒体の利用手順を示すフローチャート図であり、図８及び図９は、記録媒体の構造を示す図である。また、図１０及び図１１は、記録媒体におけるデータの記録構造の一例を示す図であり、図１２は記録媒体（ＣＤ−Ｒ）の構造を模式的に示す図である。また、図１３及び図１４は、記録装置の表示手段に表示される画面の構成例を示す図である。
【００２１】
図１に示すように、本実施例では、画像データ（静止画像データや動画データ、画像情報を含むデータを総称して画像データと呼ぶ。）を記録するためのブランクの記録媒体（以下、第１の記録媒体９ａと呼ぶ。）と、画像データに利用されるスライドショープログラムや編集プログラムなどのアプリケーションと、画像データと共に利用される観光地やイベントの画像の基となるコンテンツデータとが記録された記録媒体（以下、第２の記録媒体９ｂと呼ぶ。）とを含む複数の記録媒体が所定のケース１２に収納されてユーザに提供され、記録装置１では、第２の記録媒体９ｂに記録されたアプリケーションを利用して、読み取った画像データや上記コンテンツデータを第１の記録媒体９ａに記録する処理を行う。
【００２２】
また、上記記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部などと、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の第１の記録媒体９ａ及び第２の記録媒体９ｂを装填する記録媒体装填部４と、ボタン、キーボード、マウス等の操作手段６及びＬＣＤ、ＣＲＴ等の表示手段５とを備えている。
【００２３】
なお、図１では、第１の記録媒体９ａ及び第２の記録媒体９ｂの２つの記録媒体をケース１２に収納しているが、本発明は、画像データを記録するための１以上のブランクの第１の記録媒体９ａと、予めアプリケーションやコンテンツデータが記録された１以上の第２の記録媒体９ｂとがセットになっていればよい。また、ケース１２は複数の記録媒体をセットにしてユーザに提供可能な構造であればよく、図のように表裏の蓋が一辺を軸にして開閉可能に連結された見開き状のハードケースとしてもよいし、更に、この一辺を軸にして表裏の蓋の内部で回動可能な内部収納部を備えるハードケース（シュリンクケースと呼ぶ。）としてもよいし、ハードケースと収納ポケットを備えるソフトケースとの組み合わせとしてもよいし、表裏面に収納ポケットを備えるソフトケースなどとしてもよい。
【００２４】
また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すようにハードディスクを備えた端末と画像データの読み取りや書き込みを行う本体とが分離可能な携帯機器としてもよいし、演算処理機能を備えたカーナビゲーション機器などとしてもよい。
【００２５】
以下、本実施例の記録媒体の利用方法について、図７のフローチャート図を参照して説明する。
【００２６】
まず、ステップＳ１０１で、ユーザはセットで利用される複数の記録媒体を有償又は無償で入手する。この複数の記録媒体は、上述したように１以上の第１の記録媒体９ａと１以上の第２の記録媒体９ｂとがセットになってケース１２に収納されており、第１の記録媒体９ａは、図９（ａ）に示すように、後述する手順で画像データなどを記録するための空き記録領域を有すると共に、所定の領域に第１の記録媒体９ａを識別するための特定の識別情報が予め記録されている。また、第２の記録媒体９ｂには、上記特定の識別情報に基づいて第１の記録媒体９ａを認識して画像データを利用した処理を実行するスライドショープログラムや編集プログラムなどのアプリケーションと、必要に応じて、画像データと共に第１の記録媒体９ａに記録される観光地やイベントに関する画像の基となるコンテンツデータとが記録されている。
【００２７】
なお、第１の記録媒体９ａと第２の記録媒体９ｂとは同じ種類の記録媒体としてもよいし、第１の記録媒体９ａをＣＤ−ＲＷやＤＶＤ−ＲＷとし、第２の記録媒体９ｂをＣＤ−ＲやＤＶＤ−Ｒとするなど、異なる種類の記録媒体としてもよい。また、上記アプリケーションは第１の記録媒体９ａに記録する画像データを利用した処理を実行するものであればよく、その処理の内容は特に限定されない。また、上記コンテンツデータは画像データに付随して利用されるものであればよく、コンテンツデータの具体的構成は特に限定されないが、このコンテンツデータが単独でプリントされるなど、不適切な形態で利用されないようにするために、解像度を落としたり（例えば、８００×６００画素や１０２４×７６８画素など）、上記アプリケーションでのみ利用できるように暗号化したり、特定の拡張子（例えば、ｊｐｅｇ以外の拡張子）とすることもできる。
【００２８】
また、本実施例では、第１の記録媒体９ａ及び第２の記録媒体９ｂはケース１２に収納された状態でユーザに提供されるため、第１の記録媒体９ａと第２の記録媒体９ｂの対応関係が分からなくなることはないが、第１の記録媒体９ａに画像データを書き込んだり、第２の記録媒体９ｂからアプリケーションやコンテンツデータを読み取るために、これらの記録媒体を記録媒体装填部４から何度も出し入れすると両者の対応関係が不明確になる恐れもあるため、例えば、図８に示すように、各々の記録媒体のレーベル面に互いを対応付けるための情報（例えば、対応する番号や同じ形態の文字や記号、イラスト、画像、ロゴマークなど）を印刷してもよい。
【００２９】
また、上記特定の識別情報の具体的構成も特に限定されないが、特定の識別情報の記録場所や中身が容易に知られてしまうと識別情報自体もコピーされてしまうため、識別情報の少なくとも一部は、図９（ａ）に示すように、論理アドレス領域よりも内側の領域（論理アドレス領域外）に記録されていることが好ましい。この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００３０】
ここで、一般的な記録媒体の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００３１】
そして、ケース１２に収納された第１の記録媒体９ａと第２の記録媒体９ｂとを入手したユーザは、記録装置１を用いて以下の手順に従って処理を行う。なお、以下では、アプリケーションとして、第２の記録媒体９ｂにスライドショーの設定や家電機器用データの生成を行うスライドショープログラムが記録されているものとして説明する。
【００３２】
まず、ステップＳ１０２で、記録装置１の記録媒体装填部４に第２の記録媒体９ｂを装填すると、ステップＳ１０３で、表示手段５に、例えば図１３に示すようなコンテンツ表示画面１３が表示される。このコンテンツ表示画面１３には、予め記録されたコンテンツデータの縮小画像が一覧表示される一覧表示欄１４と、アプリケーションのインストールを指示するための指示ボタン１５などが表示され、ユーザは一覧表示欄１４を閲覧して第２の記録媒体９ｂにどのようなコンテンツデータが記録されているかを確認する。
【００３３】
なお、記録装置１に複数の記録媒体装填部４を備える場合は第２の記録媒体９ｂを装填したまま、第１の記録媒体９ａを装填することができるため、必ずしもアプリケーションを記録装置１にインストールしたり、コンテンツデータをコピーする必要はないが、記録媒体装填部４が一つの場合は、第１の記録媒体９ａを装填する際に第２の記録媒体９ｂを排出しなければならず、アプリケーションを動作させたりコンテンツデータを読み出すことができなくなってしまう。そのような場合は、ステップＳ１０４で、第２の記録媒体９ｂに予め記録されたアプリケーションを記録装置１にインストールし、また、必要に応じて、第２の記録媒体９ｂに予め記録されたコンテンツデータの少なくとも一部を記録装置１のハードディスクなどにコピーする。
【００３４】
このインストールやコピーの作業はユーザ自らが行ってもよいが、コンピュータ機器の操作に不慣れなユーザでも簡単にインストールやコピーができるようにすることが好ましく、例えば、図１１に示すように、第２の記録媒体９ｂに所定のアプリケーションやコンテンツデータのみならず、所定のアプリケーションを記録装置１にインストールしたり、コンテンツデータをコピーするためのプログラム（ここではinstaller.exe）を書き込んでおき、指示ボタン１５をクリックするとこのプログラムが起動して、所定のアプリケーションが自動的に記録装置１にインストールされ、また、必要に応じてコンテンツデータがコピーされるようにしてもよい。
【００３５】
次に、第２の記録媒体９ｂに記録されたアプリケーション又は記録装置１にインストールされたアプリケーションを起動すると、表示手段５に、第１の記録媒体９ａを記録媒体装填部４に装填するように促す画面が表示される。そして、ステップＳ１０５で、記録装置１の記録媒体装填部４に第１の記録媒体９ａを装填すると、ステップＳ１０６で、記録装置１は、第１の記録媒体９ａの所定の領域（例えば、図９（ａ）に示す論理アドレス領域外）から特定の識別情報を読み出す。
【００３６】
次に、特定の識別情報が記録されている場合は、表示手段５に、デジタルカメラ７を接続、又はメディア８を装填するように促す画面が表示され、ステップＳ１０７で、記録装置１のメディア装填部２にメディア８を装填、又は、機器接続部３にデジタルカメラ７やカメラ付き携帯電話機７ａを接続、又はネットワーク接続部を通信ネットワーク１０に接続すると、ステップＳ１０８で、デジタルカメラ７やメディア８、サーバ１１などから画像データの読み取りが行われる。
【００３７】
そして、画像データの読み取りが終了すると、表示手段５に、例えば、図１４に示すような画像表示画面１６が表示される。この画像表示画面１６には、デジタルカメラ７やメディア８などから読み取った画像データの縮小画像を一覧表示する一覧表示欄１７と、選択した縮小画像を拡大表示する拡大表示欄１８と、読み取った画像データをスライドショーとして再生するための作業の手順を示す作業メニュー欄１９とが設けられ、ステップＳ１０９で、ユーザは操作手段６を操作して、必要に応じて画像データを選択したり、第２の記録媒体９ｂに記録されているコンテンツデータの中から第１の記録媒体９ａに記録するコンテンツデータを選択したり、画像の表示順を設定したり、タイトルなどの文字を入力したり、画像と共に再生する音楽を選択するなどしてスライドショーの設定を行う。
【００３８】
なお、従来は、スライドショーを設定したりスライドショーの価値を高めるためにはユーザ自身がアプリケーションやコンテンツデータを用意しなければならなかったが、本実施例では、上記スライドショープログラムやコンテンツデータが予め記録された第２の記録媒体９ｂが第１の記録媒体９ａとセットで提供されるため、簡単にスライドショーを設定したりコンテンツデータを付加してスライドショーの価値を高めることができるため、ユーザの利便性を格段に向上させることができる。
【００３９】
次に、ステップＳ１１０で、読み取った画像データやコンテンツデータに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００４０】
また、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４１】
次に、各種データを第１の記録媒体９ａに書き込むが、その際、家電機器では所定の領域（ディスク型記録媒体の内側）に記録されたデータしか読み出すことができないため、まず、ステップＳ１１１で、生成された家電機器用データや関連付けファイルなどを論理アドレス領域の内周側に書き込み、必要に応じてセッションをクローズした後、ステップＳ１１２で、読み取った画像データや、必要に応じて第２の記録媒体９ｂに記録されたコンテンツデータの少なくとも一部、縮小画像データ、情報ファイル、音楽データなど（以下、これらを総称してコンピュータ機器用データと呼ぶ。）を先に記録した家電機器用データの外側に書き込んだ後、第１の記録媒体９ａを記録媒体装填部４から排出して記録装置１での処理を終了する。
【００４２】
上記手順で各種データが記録された第１の記録媒体９ａの記録面は、図９（ｂ）に示すようになり、ディスク型記録媒体の最内周の論理アドレス領域外には識別情報が記録され、論理アドレス領域の内周側の領域には必要に応じて家電機器用データが記録され、家電機器用データの外周側の領域には画像データや縮小画像データ、アプリケーション、管理データなどのコンピュータ機器用データが記録される。
【００４３】
また、第１の記録媒体９ａのディレクトリ構造は図１０（ａ）に示すようになり、画像データの格納場所を示すフォルダ（PS_Rollフォルダ）内の画像データやコンテンツデータ、縮小画像データ、情報ファイル（index.pvm）などでコンピュータ機器用データが構成される。また、Ｖｉｄｅｏ−ＣＤ形式のデータを生成した場合は図１０（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４４】
なお、上記フォルダ構造やフォルダ名称、ファイル名称などは任意であるが、画像データの管理を容易にするために、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々のデータのファイル名称をCCYYMMDDxxxxxx（CC：データの種別、YYMMDD：書き込み年月日を特定する数字、xxxxxx：シーケンシャル番号）などとすることができる。
【００４５】
このように、本実施例の記録媒体によれば、予め特定の識別情報が書き込まれた１以上のブランクの第１の記録媒体９ａと、上記特定の識別情報に基づいて第１の記録媒体９ａを認識して画像データを利用した処理を実行する所定のアプリケーションと、必要に応じて画像データと共に第１の記録媒体９ａに記録されるコンテンツデータとが書き込まれた１以上の第２の記録媒体９ｂとがケース１２に収納されてセットで提供されるため、第２の記録媒体９ｂに記録されたアプリケーションやコンテンツデータを利用して見栄えのよいスライドショーを設定し第１の記録媒体９ａに画像データや家電機器用データなどを記録することができるため、ユーザの利便性を格段に向上させることができる。
【実施例２】
【００４６】
次に、本発明の第２の実施例に係る記録媒体及びその収納方法について、図１５乃至図１９を参照して説明する。図１５乃至図１７は、本実施例に係る記録媒体の収納形態を模式的に示す外観図であり、図１８及び図１９は、収納ケースの構成のバリエーションを示す図である。
【００４７】
前記した第１の実施例では、第２の記録媒体９ｂに記録されたアプリケーションが特定の識別情報に基づいて第１の記録媒体９ａを認識することによって複数の記録媒体を関連付けてケース１２に収納し、これにより複数の記録媒体をセットにして提供する際のユーザの利便性を向上させたが、本実施例では、第１の記録媒体９ａ及び第２の記録媒体９ｂの特徴に基づいてケースに収納し、これにより複数の記録媒体をセットにして提供する際の安全性を確保する。
【００４８】
すなわち、前述したように、第１の記録媒体９ａは画像データや家電機器用データなどの各種データを書き込むと共に、コンピュータ機器や家電機器を用いて画像データや家電機器用データなどを読み取るのに対して、第２の記録媒体９ｂは予め記録されたアプリケーションやコンテンツデータなどを読み取るだけであり、その特徴が異なることから、各々の記録媒体はその特徴に応じた形態で保存されることが好ましい。
【００４９】
具体的に説明すると、データの読み取りは、記録媒体の記録面にレーザ光を照射してその反射光の強度を測定するだけであるため、記録媒体の変形や汚れ、傷などが多少あっても読み取り不良が生じる可能性は低いが、データの書き込みは、記録媒体の記録面にレーザを照射し、色素を分解してピットを形成することによって行うため、記録媒体が変形したり汚れや傷があると、所望の形状のピットが形成しにくくなり、これによりデータの書き込み不良や読み取り不良が生じやすい。また、第１の記録媒体９ａとして書き換え可能なＣＤ−ＲＷやＤＶＤ−ＲＷなどを用いた場合、これらの記録媒体は相変化を利用して情報の記録を行うため、ＣＤ−ＲやＤＶＤ−Ｒなどに比べて記録媒体の変形や汚れ、傷などに敏感であり、データの書き込み不良や読み取り不良が生じやすくなってしまう。
【００５０】
従って、データの書き込みと読み取りの双方を行う第１の記録媒体９ａは、変形、汚れ、傷が発生しないように、データの読み取りのみを行う第２の記録媒体９ｂよりも安全に保管することが重要である。しかしながら、従来は、複数の記録媒体をセットにして提供する場合に、このような記録媒体の特徴に基づいて各々の記録媒体を保管していなかったため、第１の記録媒体９ａへのデータの書き込みや読み取りができなくなる場合が生じるという問題があった。そこで、本実施例では、第１の記録媒体９ａが第２の記録媒体９ｂよりも安全に保管されるように収納方法を規定する。
【００５１】
例えば、図１５に示すように、表裏の蓋がその一辺（背表紙）を軸にして開閉可能に連結され、かつ、背表紙を軸にして表裏の蓋の内部で回動する内部収納部が接続されたシュリンクケース１２ａに複数の記録媒体を収納する場合、表裏の蓋は安定して記録媒体を保持することができるが、内部収納部は自在に回転するために表裏の蓋との接触によって記録媒体が離脱しやすい。従って、第１の記録媒体９ａと第２の記録媒体９ｂとをシュリンクケース１２ａに収納する場合は、第１の記録媒体９ａを相対的に安全な表裏の蓋側の収納部に収納し、第２の記録媒体９ｂを内部収納部に収納する。これにより、複数の記録媒体をより安全に保管することができる。
【００５２】
また、図１６に示すように、複数の記録媒体を、表裏の蓋が背表紙を軸にして開閉可能に連結されたハードケース１２ｂと、台紙の表面にビニールを貼り付けた収納ポケットを備えるソフトケース１２ｃとに分けて収納する場合は、第１の記録媒体９ａを相対的に安全なハードケース１２ｂに収納し、第２の記録媒体９ｂをソフトケース１２ｃに収納する。これにより、複数の記録媒体をより安全に保管することができる。
【００５３】
なお、図１５及び図１６では、第１の記録媒体９ａ及び第２の記録媒体９ｂを各々１枚ずつ収納する場合を示したが、本実施例は、１枚以上の第１の記録媒体９ａと１枚以上の第２の記録媒体９ｂとを収納する任意の場合に適用することができ、例えば、２枚の第１の記録媒体９ａと１枚の第２の記録媒体９ｂとをシュリンクケース１２ａに収納する場合は、図１７に示すように、相対的に安全な表裏の蓋の各々に第１の記録媒体９ａを収納し、内部収納部に第２の記録媒体９ｂを収納する構成とすることもできる。
【００５４】
また、図１５乃至図１７に示すように複数の記録媒体をケースに収納してユーザに提供する場合、複数の記録媒体を１枚ずつ使用する場合には使用した記録媒体は必然的に元の場所に収納されるため記録媒体の収納場所が入れ替わることはないが、複数の記録媒体装填部４に複数の記録媒体を同時に装填する場合には、間違った収納場所に各々の記録媒体を収納してしまう恐れがある。そのような場合には、例えば、図１８に示すように、シュリンクケース１２ａの各々の記録媒体を収納する場所に、どの種類の記録媒体を収納するかをユーザに認識させる情報（例えば、その場所に収納する記録媒体を特定する識別番号、色、デザインなど）を表示してもよく、このような構成にすることによって記録媒体の収納場所が入れ替わるという不具合を未然に防止することができる。
【００５５】
また、複数の記録媒体をケース１２に収納する際に、そのケース１２の中にどのような種類の記録媒体が何枚収納されているかをユーザに認識させるために、例えば、図１９に示すように、ケース１２の外側に、収納されている記録媒体の構成が記載されたラベル１２ｄを付加することもできる。
【００５６】
このように、本実施例の記録媒体及びその収納方法によれば、データの書き込みと読み取りの双方を行う第１の記録媒体９ａを相対的に安全な場所に収納しているため、変形や汚れ、傷などに対して比較的弱い第１の記録媒体９ａをより安全に保管することができ、これにより、第１の記録媒体９ａに対するデータの書き込み不良や読み出し不良の発生を未然に防止して、ユーザの利便性を向上させることができる。
【００５７】
なお、上記各実施例は、本発明の記録媒体及びその収納方法の例示であり、本発明の趣旨を逸脱しない限りにおいてその構成を変更することができ、例えば、第１の実施例と第２の実施例とを組み合わせてもよい。また、上記各実施例では、第１の記録媒体９ａに画像データを記録する場合について記載したが、本発明は上記実施例に限定されるものではなく、音楽データなどの他の種類のデータを記録する場合についても、同様に適用することができる。
【図面の簡単な説明】
【００５８】
【図１】本発明の第１の実施例に係る複数の記録媒体を利用するシステムの構成を模式的に示す図である。
【図２】本発明の第１の実施例に係る記録装置のバリエーションを示す図である。
【図３】本発明の第１の実施例に係る記録装置のバリエーションを示す図である。
【図４】本発明の第１の実施例に係る記録装置のバリエーションを示す図である。
【図５】本発明の第１の実施例に係る記録装置のバリエーションを示す図である。
【図６】本発明の第１の実施例に係る記録装置のバリエーションを示す図である。
【図７】本発明の第１の実施例に係る複数の記録媒体の利用手順を示すフローチャート図である。
【図８】本発明の第１の実施例に係る第１及び第２の記録媒体のレーベル面の構成を模式的に示す図である。
【図９】本発明の第１の実施例に係る第１の記録媒体の記録面の構成を模式的に示す図である。
【図１０】本発明の第１の実施例に係る第１の記録媒体のデータの記録構造を示す図である。
【図１１】本発明の第１の実施例に係る第２の記録媒体のデータの記録構造を示す図である。
【図１２】記録媒体（ＣＤ−Ｒ）の構造を模式的に示す図である。
【図１３】本発明の第１の実施例に係る記録装置の表示手段に表示される画面構成例（コンテンツ表示画面）を示す図である。
【図１４】本発明の第１の実施例に係る記録装置の表示手段に表示される画面構成例（画像表示画面）を示す図である。
【図１５】本発明の第２の実施例に係る複数の記録媒体の収納状態の例を示す図である。
【図１６】本発明の第２の実施例に係る複数の記録媒体の収納状態の他の例を示す図である。
【図１７】本発明の第２の実施例に係る複数の記録媒体の収納状態の他の例を示す図である。
【図１８】本発明の第２の実施例に係る複数の記録媒体を収納するケースのバリエーションを示す図である。
【図１９】本発明の第２の実施例に係る複数の記録媒体を収納するケースのバリエーションを示す図である。
【符号の説明】
【００５９】
１  記録装置
２  メディア装填部
３  機器接続部
４  記録媒体装填部
５  表示手段
６  操作手段
７  デジタルカメラ
７ａ  カメラ付き携帯電話機
８  メディア
９ａ  第１の記録媒体
９ｂ  第１の記録媒体
１０  通信ネットワーク
１１  サーバ
１２  ケース
１２ａ  シュリンクケース
１２ｂ  ハードケース
１２ｃ  ソフトケース
１２ｄ  ラベル
１３  コンテンツ表示画面
１４  一覧表示欄
１５  指示ボタン
１６  画像表示画面
１７  一覧表示欄
１８  拡大表示欄
１９  作業メニュー欄
１００  ポリカーボネート基板
１０１  有機色素層
１０２  反射層
１０３  保護層
【図１】
2007004905.tif 000003
【図２】
2007004905.tif 000004
【図３】
2007004905.tif 000005
【図４】
2007004905.tif 000006
【図５】
2007004905.tif 000007
【図６】
2007004905.tif 000008
【図７】
2007004905.tif 000009
【図８】
2007004905.tif 000010
【図９】
2007004905.tif 000011
【図１０】
2007004905.tif 000012
【図１１】
2007004905.tif 000013
【図１２】
2007004905.tif 000014
【図１３】
2007004905.tif 000015
【図１４】
2007004905.tif 000016
【図１５】
2007004905.tif 000017
【図１６】
2007004905.tif 000018
【図１７】
2007004905.tif 000019
【図１８】
2007004905.tif 000020
【図１９】
2007004905.tif 000021